(57)【要約】【課題】調整ねじを回転操作したときにこの調整ねじの突出度合いを変化させることができて、この調整ねじの突出度合いを見るだけで、設定されている手動開放力の大小を確実に把握できる防火扉用自動閉鎖装置を提供する。【解決手段】  防火扉に設けた鍵状金具４を拘束するフックプレート２と、防火扉を手動で開閉するため、フックプレート２から係合金具４を引き抜く際の手動開放力を調整可能にする手動開放力調整機構とを備えた防火扉用自動閉鎖装置において、手動開放力調整機構は、本体ハウジング１より突出させた調整ネジ９を回動操作したときに、該調整ネジ９の突出度合いを変化させることによって、フックプレート２による拘束状態を解除するために必要な手動開放力を調整可能にしている。【選択図】  図１
2005320823.tif 000002
【特許請求の範囲】
【請求項１】
防火扉に設けた係合金具を拘束するフックプレートと、防火扉を手動で開閉するため、上記フックプレートから上記係合金具を引き抜く際の手動開放力を調整可能にする手動開放力調整機構とを備えた防火扉用自動閉鎖装置において、
上記手動開放力調整機構は、本体ハウジングより突出させた調整ネジを回動操作したときに該調整ネジの突出度合いを変化させることによって、上記フックプレートによる拘束状態を解除するための手動開放力を調整可能にしている、防火扉用自動閉鎖装置。
【請求項２】
請求項１において、
上記手動開放力調整機構は、上記調整ネジを回動操作して上記本体ハウジングからの突出度合いを小さくするにつれて、上記手動開放力を大きくさせるスプリングで構成されている、防火扉用自動閉鎖装置。
【請求項３】
請求項１または２において、
上記調整ネジには、上記本体ハウジングからの突出度合いを示す目盛りを設けている、防火扉用自動閉鎖装置。
【請求項４】
請求項１〜３のいずれかにおいて、
上記調整ネジには、その周囲に１以上の突起あるいは凹部を形成し、かつ、それらの突起あるいは凹部に対応させた、弾性部材を上記本体ハウジング内に設けた構造にしている、防火扉用自動閉鎖装置。
【請求項５】
請求項１〜４のいずれかにおいて、
上記弾性部材は、上記調整ネジの周囲に形成した突起あるいは凹部に対応させて、その長さ、形状を異ならせて、上記調整ネジが回動操作されたときのクリック感やクリック音を変化させる構成にしている、防火扉用自動閉鎖装置。
【発明の詳細な説明】
【技術分野】
【０００１】
本発明は、防火扉を手動で開閉するための手動開放力を調整可能にした手動開放力調整機構を備えた防火扉用自動閉鎖装置の改良に関する。
【背景技術】
【０００２】
この種の防火扉を図１０〜図１３を参照して説明すると、
防火扉用自動閉鎖装置Ｒは、図１２に示したように、防火扉２０側に設けた係合金具４を拘束するフックプレート１０２を設けており、このフックプレート１０２を、本体ハウジング１００の前面のほぼ中央に形成した切欠開口部１０１より露見させた構造になっている。
【０００３】
防火扉２０は、図１０に示すように、通常時は壁面に形成された凹所２１の適所に、図１１に示すような、取付プレートＰ１、化粧プレートＰ２によって取付け固定され、自動閉鎖装置Ｒの本体ハウジング１００の切欠開口部１０１より露出させたフックプレート１０２に防火扉２０側に設けた係合金具４を押し付けて拘束させ、その状態で壁面の凹所２１に収容保持されており、火災発生時には、本体ハウジング１００に内蔵したソレノイド（不図示）などを駆動してフックプレート１０２から係合金具４を解放させて防火扉２０を解放し、解放された防火扉２０はドアクローザなどによって閉じられ、通路の開口部２２を閉鎖する構造となっている。
【０００４】
また、このような自動閉鎖装置Ｒは、ソレノイドを電気的に駆動できない場合には、防火扉２０を手で引っ張り、係合金具４をフックプレート１０２から引き抜き、解放することでドアクローザを作動させて閉鎖することもでき、本体ハウジング１００には、このときの手動開放力を、調整ネジ１０４で調整できるようにした手動開放力調整機構を備えており、下記の特許文献１や２には、そのような構造的特徴を有した扉が開示されている。
【０００５】
図１３は、従来の自動閉鎖装置に組み込まれた手動開放力調整機構の要部を示している。
図において、１０７はフックプレート１０２に一体的に固定されている荷重プレートであり、この荷重プレート１０７は、ばね受け部１０７ａを設け、ハウジング本体１００より頭部を突出させた調整ネジ１０４に設けた押板１０６によって、調整ネジ１０４を回動操作することで、調整ネジ１０４に外挿されたスプリング１０５を押し縮めることで手動開放力が調整できるようになっている。
【０００６】
しかしながら、このような構造では、手動開放力は、調整ばね１０４を回動操作して無段階的に調整できるものの、調整された手動開放力が、どの程度であるかを外観上からは知ることはできず、そのため、実際に防火扉２０を手動で開放させるなどして確認する以外に方法はなかった。
【特許文献１】実開平６−１８５８０号公報
【特許文献２】特開平７−１４８０２９号公報
【発明の開示】
【発明が解決しようとする課題】
【０００７】
本発明は、上記従来の問題に鑑みてなされたものであって、調整ネジによって設定されている手動開放力の大小を外部から確実に把握できる防火扉用自動閉鎖装置を提供することを目的としている。
【課題を解決するための手段】
【０００８】
請求項１に記載の本発明は、防火扉に設けた係合金具を拘束するフックプレートと、防火扉を手動で開閉するため、上記フックプレートから上記係合金具を引き抜く際に必要な手動開放力の調整機構とを備えた防火扉用自動閉鎖装置において、上記手動開放力調整機構は、本体ハウジングより突出させた調整ネジを回動操作したときに該調整ネジの突出度合いを変化させることによって、フックプレートによる拘束状態を解除するのに必要な手動開放力を調整可能にしている。
【０００９】
請求項２に記載の発明は、請求項１において、上記手動開放力調整機構は、上記調整ネジを回動操作して上記本体ハウジングからの突出度合いを小さくするにつれて、上記手動開放力を大きくさせるスプリングで構成されている。
請求項３に記載の発明は、請求項１または２において、上記調整ネジには、上記本体ハウジングからの突出度合いを示す目盛りを設けている。
【００１０】
請求項４に記載の発明は、請求項１〜３のいずれかにおいて、上記調整ネジには、その周囲に１以上の突起あるいは凹部を形成し、かつ、それらの突起あるいは凹部に対応させたばね材を上記本体ハウジング内に設けた構造にしている。
請求項５に記載の発明は、請求項１〜４のいずれかにおいて、上記ばね材は、上記調整ネジの周囲に形成した突起あるいは凹部に対応させて、その長さや形状を異ならせて、上記調整ネジが回動操作されたときのクリック感やクリック音を変化させる構成にしている。
【発明の効果】
【００１１】
請求項１〜５に記載の発明によれば、調整ネジを回動操作すると、この調整ネジの突出度合いが変化して、手動開放力を変化させるので、この調整ネジの突出度合いを見るだけで、設定されている手動開放力の大小を確実に把握できる。
また、請求項２に記載の発明によれば、調整ネジを回動させてスプリングを押し縮めるだけで手動開放力を大きくすることができる。
【００１２】
請求項３に記載の発明によれば、調整ネジに設けた目盛りを見るだけで設定された手動開放力が把握できる。
請求項４に記載の発明によれば、調整ネジの回転操作に応じたクリック感、クリック音が得られるので、クリック感やクリック音をカウントすることにより、設定された手動開放力を容易に確認できる。
請求項５に記載の発明によれば、調整ネジの回動操作に応じて、異なるクリック感、クリック音が得られるので、設定された手動開放力が感触として把握できる。また、暗い場所でも異なるクリック感、クリック音で容易に判断することができる。
【発明を実施するための最良の形態】
【００１３】
以下、本発明に係る防火扉用自動閉鎖装置の実施の形態について、添付図を参照しつつ説明する。
図１は、本発明の要部である手動開放力調整機構の調整ネジを示す外観斜視図である。
本体ハウジング１の適所より突出させた調整ネジ９は、本体ハウジング１の対応箇所に、その回動操作方向と手動開放力の強弱との関係を記した刻印がなされ、調整ネジ９の突出度合いを示す記号と、その記号に対応して手動開放力として設定される引き外し荷重の値１ｅが刻印されている。
なお、２は本体ハウジング１の切欠開口部１ｂより露見させたフックプレートである。
【００１４】
図２は、手動開放力調整機構の調整ネジの他例を示すものである。
この図に示したものは、調整ネジ９は、その頭部９ａに目盛り９ｂと、治具を挿入する溝９ｃを形成しており、その溝９ｃ内にドライバーなどの治具を挿入して回動させれば、調整ネジ９の孔部１ａからの突出度合いが変化し、内部に設けたスプリング５を押し縮めて、手動開放力を変化させる構造にしている。
【００１５】
図３は、図１、図２に示した手動開放力調整機構の内部構造を示している。
調整ネジ９は、本体ハウジング１に形成した孔部１ａから頭部９ａを突出させ、本体部９ｄにスプリング５を外嵌させ、ネジ本体９ｄに固定した押え板１１を降下させることで、この押え板１１と荷重プレート７の一端に設けた受け部７ａとの間でスプリング５を押し縮めて荷重プレート７に作用する弾性力を調整できるようにしている。
調整ネジ９のネジ本体９ｄの適所には、ネジ山９ｅが形成され、そのネジ山９ｅをネジ溝１０ａを形成した支持具１０に進退可能に螺入させており、支持具１０はハウジング本体１内に固定されている。
したがって、このような構造によれば、調整ネジ９のネジ本体９ｄは支持具１０と螺合しているため、調整ネジ９を一方向に回転させると、ネジ本体９ｄはハウジング本体１内を進むので、これによって押え板１１は、スプリング５を押圧し、逆方向に回転させると、調整ネジ９は、反対方向に戻って、ハウジング本体１からの突出度合いを変化するように移動して、手動開放力を変化させることができる。
【００１６】
図４は、手動開放力調整機構の他例Ａ´の分解斜視図、図５（ａ），（ｂ）は、図４に示した基本構造と、その横断面構造を示す図である。
この例では、固定具１０は、その上、下に突起１０ｂ、１０ｃが設けられ、この突起１０ｂ、１０ｃを本体ハウジング１に形成された孔部１ｃに嵌入れ、固定具１０を本体ハウジング１に固定している。調整ネジ９には、複数の凹所１２ａを全周に形成した操作鍔１２が取付けられ、ネジ本体９ｄを固定具１０に形成したネジ溝１０ａに螺合させており、本体ハウジング１の側内面と操作鍔１２との間には凸部１３ａを形成した弾性ばね１３を配設している。
したがって、このような構造であれば、調整ネジ９を回転させると、この調整ネジ９と一体となって、操作鍔１２が回転するため、弾性ばね１３の凸部１３ａが操作鍔１２に形成した凹所１２ａに嵌りこむことでクリック感、クリック音が得られて、調整ネジ９の回転量を知ることができる。
【００１７】
図６は、手動開放力調整機構の更に他例Ａ"の基本構造を示す図である。
図６に示すものでは、操作鍔１２が回転したときのクリック感やクリック音を異ならせるため、弾性ばね１３Ａには、長さを異ならせた複数の凸部１３ｂ、１３ｃ、１３ｄが形成されており、調整ネジ９を回転させて、ネジ本体９ｄを進退移動させれば、異なるクリック感、クリック音が得られるようになっている。クリック感やクリック音を異ならせる態様としては、弾性ばね１３の凸部の切込みの寸法を異ならせたり、凸部に代えて、弾性力の異なる部材を設けてもよい。
【００１８】
図７は、防火扉用自動閉鎖装置の本体ハウジングの外観図である。
本体ハウジング１の前面の適所には、前述した調整ネジ９を設け、中央に形成した切欠部開口部１ｂには、内側に向けて略直角に折り曲がる複数の遮蔽片１ｄが形成され、これらの遮蔽片１ｄの間からフックプレート２が外側に臨むように配設されている。したがって、このような遮蔽片１ｄを設けたものでは、切欠開口部１ｂの隙間からゴミなどが本体ハウジング１内に進入することが防止でき、また、防火扉２０に設けた係合金具４をフックプレート２に押し付けたときにも、係合金具４が切欠開口部１１の縁端にぶつかって傷を付けることもなく、衝撃も緩和される。
【００１９】
ついで、本体ハウジング１内に内蔵されたフックプレート２、ラッチ機構３の基本的な構造と、その基本動作を以下、説明する。
図８において、２はフックプレートであり、ラッチ機構３のラッチレバー３０に形成された係止凹所３ａに係止する突出部２ａと、防火扉側に設けた係合金具４を拘束するフック部２ｂとを備えている。
３はラッチ機構であり、フックプレート２の突出部２ａに係止させる係止凹所３ａを有したラッチレバー３０と、このラッチレバー３０を可動させるリンク部材３１，３２とを有しており、リンク部材３１，３２には、リンクばね３３が設けられている。
また、５は荷重プレート８を通じて、固定されたフックプレート２の回動を阻止するための弾性力を付勢させた手動開放力調整ばね、６はラッチ機構３がラッチを解除したときにフックプレート２を開放位置まで移動させる弾性力を付勢させた開放ばねである。
フックプレート２は、ラッチ開放時の回動支点Ｓ１、手動開放時の回動支点Ｓ２を中心として回動可能になっており、ラッチレバー３０は回動支点Ｓ３を中心にして回転可能になっている。
また、フックプレート２に形成した突出部２ａとラッチレバー３０に形成した係止凹所３ａは、フックプレート２を回動支点Ｓ１を中心として時計方向に回動させたときには、さらに強く係止されて回動は阻止されるが、回動支点Ｓ２を中心として時計方向に回動させたときには、容易に係止が解除されるように、それらの形状が特定されており、手動開放力調整ばね５の弾性力は、ばね調整ネジ９により手動調整が可能になっている。
【００２０】
ついで、図９（ａ），図９（ｂ）を参照して、フックプレートとラッチ機構の基本的な構造と動作を説明する。
フックプレート２のフック部２ｂで係合金具４を拘束し、防火扉２０を収納状態に保持しているときは、図９（ａ）のような状態になっている。
すなわち、この状態では、ラッチ開放支点Ｓ１を支点とし、ばね６の弾性力ｆ１で常時時計方向への回動力が付与されているフックプレート２の突出部２ａは、ラッチ機構３のラッチレバー３０の係止凹所３ａに係止され回動不能になっている。
【００２１】
この状態において、ソレノイド（不図示）が駆動されると、リンク部材３１，３２を、リンクばね３３の弾性力ｆ２に抗して下方向に移動させる（図ではＦ´に移動させる）。
すると、ラッチレバー３０は、回動支点Ｓ３を中心として、フックプレート２から遠ざかり（図では破線で示す）、そのためラッチレバー３０の凹所３ａは、フックプレート２の突出部２ａから外れる。この状態では、リンク部材３１，３２は、リンクばね３３の弾性力ｆ２によって、リンク部材３１，３２が折り曲がるように移動し、フックプレート２は、開放ばね６の弾性力ｆ１と、自動開放力調整ばね５の弾性力ｆ３とがバランスする開放位置まで支点Ｓ１を中心として時計方向に回動して、ラッチ解除の状態となり（図９（ｂ）、係合金具４はフックプレート２のフック部２ｂから開放されるので、防火扉は閉鎖される。
【００２２】
以上は、ソレノイドを駆動して防火扉を閉鎖する動作であるが、このような防火扉用自動閉鎖装置は、停電時などのときも防火扉を安全に動作させるため防火扉２０を手動で引っ張っても閉鎖できるようになっている。
【００２３】
その場合の動作を説明すると、防火扉２０を引っ張って、係合金具４をフックプレート２から引き出す力Ｆを加えると、フックプレート２には、支点Ｓ１、支点Ｓ２を中心とした回転モーメントが加わる。ところが、フックプレート２の突出部２ａとラッチレバー３０の係止凹所３ａとは、支点Ｓ１を中心した回動は阻止するが、支点Ｓ２を中心とした回動は許容するので、フックプレート２を荷重プレート８に加えられる手動開放調整ばね５の弾性力ｆ３に抗する強い力Ｆで引っ張れば、フックプレート２の突出部２ａは、ラッチレバー３０の係止凹所３ａから外れる。
【００２４】
その結果、リンク部材３１，３２は、リンクばね３３の弾性力ｆ２によって、リンク３１，３２が折り曲がるように可動し、フックプレート２は、開放ばね６の弾性力ｆ１と、自動開放力調整ばね５の弾性力ｆ３とがバランスする位置まで支点Ｓ１を中心として時計方向に回動して、ラッチ解除の状態となり、この状態で、フックプレート２は、フック部２ｂで拘束していた係合金具４を開放して、防火扉２０は、閉鎖される。
【図面の簡単な説明】
【００２５】
【図１】本発明の要部である手動開放力調整機構の調整ネジを示す外観斜視図である。
【図２】調整ネジに突出度合いを示す目盛りを設けた実施例を示す図である。
【図３】手動開放力調整機構の基本構造を示す図である。
【図４】手動開放力調整機構の他例の分解斜視図である。
【図５】（ａ），（ｂ）は、図４に示した他例の基本構造と、その横断面構造を示す図である。
【図６】手動開放力調整機構の更に他例の基本構造を示す図である。
【図７】防火扉用自動閉鎖装置の本体ハウジングの外観図である。
【図８】本体ハウジング内の基本構造を示す図である。
【図９】（ａ），（ｂ）は、ラッチ、ラッチ解除の状態を示すフックプレートとラッチ機構の基本構造を示す図である。
【図１０】防火扉の説明図である。
【図１１】防火扉に使用される自動閉鎖装置の分解斜視図である。
【図１２】自動閉鎖装置の本体ハウジングの外観構造を示す図である。
【図１３】従前の手動開放力調整機構の調整ネジの説明図である。
【符号の説明】
【００２６】
１      本体ハウジング
１ａ    孔部
１ｂ    切欠開口部
１ｄ    遮蔽片
２      フックプレート
２ａ    突出部
３      ラッチ機構
４      係合金具
５      スプリング
６      開放ばね
７      荷重プレート
９      手動開放調整ネジ
９ａ    頭部
９ｂ    目盛り
１０    固定具
３０    ラッチレバー
３０ａ  係止凹所
３１、３２    リンク部材
【図１】
2005320823.tif 000003
【図２】
2005320823.tif 000004
【図３】
2005320823.tif 000005
【図４】
2005320823.tif 000006
【図５】
2005320823.tif 000007
【図６】
2005320823.tif 000008
【図７】
2005320823.tif 000009
【図８】
2005320823.tif 000010
【図９】
2005320823.tif 000011
【図１０】
2005320823.tif 000012
【図１１】
2005320823.tif 000013
【図１２】
2005320823.tif 000014
【図１３】
2005320823.tif 000015